(57)【要約】【課題】  複数人が一つの電話機を有効に利用できるようにする。【解決手段】  データベースの情報を音声認識して取得する音声認識装置であって，前記データベース内の情報に対して複数のユーザに対する発声情報を登録する発声情報登録手段と，音声認識時にどのユーザが発声するのかを識別する発声ユーザ識別手段と，前記発声ユーザ識別手段により識別されたユーザに対する前記発声情報を基に認識文法を作成する認識文法作成手段とを有する。【選択図】  図１
2007163966.tif 000002
【特許請求の範囲】
【請求項１】
データベースの情報を音声認識して取得する音声認識装置であって、
前記データベース内の情報に対して複数のユーザに対する発声情報を登録する発声情報登録手段と、
音声認識時にどのユーザが発声するのかを識別する発声ユーザ識別手段と、
前記発声ユーザ識別手段により識別されたユーザに対する前記発声情報を基に認識文法を作成する認識文法作成手段とを有する音声認識装置。
【請求項２】
前記発声情報に対応するユーザを登録する発声ユーザ登録手段をさらに有することを特徴とする請求項１に記載の音声認識装置。
【請求項３】
請求項１記載の音声認識装置を搭載した電話機であって、
１つ以上の子機で操作可能であり、
前記発声ユーザ識別手段は、どの子機で操作されているかによって識別することを特徴とする電話機。
【請求項４】
親機及び１つ以上の子機で操作可能であり、データベースの情報を音声認識して取得する音声認識装置を備える電話機であって、
前記データベース内の情報に対してそれぞれの子機に対する発声情報を登録する発声情報登録手段と、
親機で音声認識する際に、どの子機に対する発声情報を用いるかを識別する発声ユーザ識別手段と、
前記発声ユーザ識別手段により識別された発声情報をもとに認識文法を作成する認識文法作成手段とを有する電話機。
【請求項５】
前記発声ユーザ識別手段は、ユーザによるボタン押下によって識別を行うことを特徴とする請求項１、２に記載の音声認識装置。
【請求項６】
前記発声ユーザ識別手段は、ユーザによるボタン押下によって識別を行うことを特徴とする請求項４に記載の電話機。
【発明の詳細な説明】
【技術分野】
【０００１】
本発明は、電話機に電話番号および名前を登録する際に、複数の名前および誰がその名前で呼ぶ可能性があるかを登録するようにすることによって、同じ番号でも孫が呼ぶときの名前は「おじいちゃんの会社」、息子が呼ぶときには「おやじの会社」というように発声して電話をかけるようにする音声認識装置に関する。
【背景技術】
【０００２】
従来、相手の名前を音声認識によって認識し、呼び出しを行う電話機があった。
【０００３】
従来例としては、例えば特許文献１と特許文献２と特許文献３と特許文献４をあげることが出来る。
【特許文献１】特開２００１−１７５２７４号公報
【特許文献２】特開２００２−１２５０５０号公報
【特許文献３】特開平１０−３０３９６９号公報
【特許文献４】特開２００２−３５４１２４号公報
【発明の開示】
【発明が解決しようとする課題】
【０００４】
従来、相手の名前を音声認識によって認識し、呼び出しを行う電話機があったが、電話機に電話番号および名前を登録する際に、複数の名前および誰がその名前で呼ぶかを登録するようにすることによって、同じ番号でも孫が呼ぶときの名前は「おじいちゃんの会社」、息子が呼ぶときには「おやじの会社」というように発声して電話をかけることはできなかった。
【課題を解決するための手段】
【０００５】
本発明においては、データベースの情報を音声認識して取得する音声認識装置であって、前記データベース内の情報に対して複数のユーザに対する発声情報を登録する発声情報登録手段と、音声認識時にどのユーザが発声するのかを識別する発声ユーザ識別手段と、前記発声ユーザ識別手段により識別されたユーザに対する前記発声情報を基に認識文法を作成する認識文法作成手段とを有し、電話機に電話番号および名前を登録する際に、複数の名前および誰がその名前で呼ぶかを登録するようにすることによって、同じ番号でも孫が呼ぶときの名前は「おじいちゃんの会社」、息子が呼ぶときには「おやじの会社」というように発声して電話をかけることができるので、複数人が一つの電話機を有効に利用できる。
【発明の効果】
【０００６】
このように、電話機に電話番号および名前を登録する際に、複数の名前および誰がその名前で呼ぶかを登録するようにすることによって、同じ番号でも孫が呼ぶときの名前は「おじいちゃんの会社」、息子が呼ぶときには「おやじの会社」というように発声して電話をかけることができるので、複数人が一つの電話機を有効に利用できる。
【発明を実施するための最良の形態】
【０００７】
以下、図面を参照しながら本発明の好適な実施例について説明していく。
【実施例１】
【０００８】
図１は、本発明における音声認識装置の構成図である。本装置は例えば電話機であり少なくとも、音声認識する単語に関する情報を記憶するデータベース１、単語の発声情報を登録する発声情報登録手段２、発声するユーザを識別する発声ユーザ識別手段３、識別されたユーザの発声に対応する音声認識文法を作成する認識文法作成手段４、作成された音声認識文法に基づいてユーザの音声を認識する音声認識手段５とから構成されている。
【０００９】
図２はデータベース１の内容の一例である。データベース１には、名前「田中太郎」、電話番号「０ｘｘｘｘｘｘｘｘｘ」、メールアドレス「ｔａｎａｋａ。ｔａｒｏｕ＠ｘｘｘｘ」が登録されており、それに対応する発声情報として、デフォルトユーザに対しては「たなかたろう」、ユーザ１に対しては「おやじ」、ユーザ２に対しては「おじいちゃん」が登録されている。
【００１０】
図３は、発声情報登録手段２のＧＵＩ画面を示す。図３（ａ）〜（ｃ）に示すように、名前「田中太郎」、電話番号「０ｘｘｘｘｘｘｘｘｘ」、メールアドレス「ｔａｎａｋａ。ｔａｒｏｕ＠ｘｘｘｘ」を登録した後で、発声「たなかたろう」に対してはユーザ「デフォルト」を（図３（ａ））、発声「おやじ」に対してはユーザ「ユーザ１」を（図３（ｂ））、発声「おじいちゃん」に対しては「ユーザ２」を（図３（ｃ））それぞれ登録する。これらの登録情報は図２のデータベース１に記憶される。
【００１１】
図４は、発声ユーザ識別手段３のＧＵＩ画面を示す。ここでは、ユーザが受話器を取ったら画面に「あなたは誰ですか？」と表示され、その問いかけに対してユーザが「ユーザ２」を選択した場合の例を示す。
【００１２】
図５の流れ図に従って本装置の動作を説明する。ステップＳ１において図４の問いかけ画面に従って発声ユーザを識別する。ここではユーザが自分は「ユーザ２」であると選択する。ステップＳ２において図２のデータベース１からユーザ「ユーザ２」に対応する発音「おじいちゃん」を取り出して音声認識文法を作成する。ここでは「おじいちゃん」、「おじいちゃん」＋「の」＋「かいしゃ」などが音声認識文法となる。ステップＳ３においてユーザの発声を音声認識文法で受理して音声認識する。ステップＳ４において音声認識した「おじいちゃん」に対する登録情報（名前、電話番号、メールアドレス）を図２のデータベース１から取得し、「田中太郎」あてに電話をかける。
【００１３】
ステップＳ１においてユーザが自分は「ユーザ１」であると選択した場合には、ステップＳ２において図２のデータベース１からユーザ「ユーザ１」に対応する発音「おやじ」を取り出して音声認識文法を作成する。ここでは「おやじ」、「おやじ」＋「の」＋「かいしゃ」などが音声認識文法となる。ステップＳ３においてユーザの発声を音声認識文法で受理して音声認識する。ステップＳ４において音声認識した「おやじ」に対する登録情報（名前、電話番号、メールアドレス）を図２のデータベース１から取得し、「田中太郎」あてに電話をかける。
【実施例２】
【００１４】
図６は本発明のほかの実施例を示す。本実施例では図示するように電話機がユーザ識別ボタン２１（Ｕ１、Ｕ２、Ｕ３）と、ディスプレイ２２、テンキー２３、確定キー２４、十字キー２５、クリアキー２６、受話器２７を具備している。電話機の内部には、図１のデータベース１、発声情報登録手段２、発声ユーザ識別手段３、認識文法作成手段４、音声認識手段５を内蔵している。ユーザは、ユーザ識別ボタン２１、テンキー２３、確定キー２４、十字キー２５、クリアキー２６を用いて、ディスプレイ２２を見ながら、発声情報登録手段２に発声情報を登録する。まず、ユーザ識別ボタン２１（Ｕ１、Ｕ２、Ｕ３）が何れのユーザに対応するかを各種ボタンとディスプレイ２２によって登録する。ここでは図７に示すようにＵ１ボタンに「ユーザ１」が、Ｕ２ボタンに「ユーザ２」が、Ｕ３ボタンに「デフォルト」ユーザが割り当てられるように登録する例を示す。次に、各種ボタンとディスプレイ２２によって、図３（ａ）〜（ｃ）のような情報を登録する。図３のような文字や数字の入力は携帯電話の文字入力方式などで行う。本実施例において発声ユーザ識別手段３はユーザ識別ボタン２１（Ｕ１、Ｕ２、Ｕ３）である。「田中太郎」の息子である「ユーザ１」が「田中太郎」に電話をかけたいときは、受話器２７を取ってからＵ１ボタンを押下して使用者が「ユーザ１」であることを電話機に識別させる。すると、データベース１からユーザ「ユーザ１」に対応する発音「おやじ」を取り出して音声認識文法を作成される。ここでは「おやじ」、「おやじ」＋「の」＋「かいしゃ」などが音声認識文法となる。「ユーザ１」が認識文法で受理可能な範囲の発声をすると電話機はユーザの発声を音声認識文法で受理して音声認識する。音声認識結果はユーザに確認し、その是非は「はい」「いいえ」で確認したりボタンの押下で確認したりしても良い。音声認識に成功すれば「おやじ」に対する登録情報（名前、電話番号、メールアドレス）を図２のデータベース１から取得されて、「田中太郎」あてに電話がかけられる。
【実施例３】
【００１５】
実施例２では図６のように新たにユーザ識別ボタン２１（Ｕ１、Ｕ２、Ｕ３）を具備しているが、これらのボタン無しで、既存のボタンを用いてユーザ識別を行なっても良い。例えば「田中太郎」の息子である「ユーザ１」が「田中太郎」に電話をかけたいときは、受話器２７を取ってからテンキー２３の「１」ボタンを押下して使用者が「ユーザ１」であることを電話機に識別させるようにする。
【実施例４】
【００１６】
実施例２で音声認識に失敗すれば、そのユーザの音声認識文法に含まれていない呼び名を発声していたり、他のユーザの音声認識文法にある呼び名を発声していたりする可能性があるので、他の全てのユーザの音声認識文法（「おじいちゃん」「おじいちゃん＋の＋かいしゃ」「おやじ」「おやじ＋の＋かいしゃ」「たなかたろう」）を用いて音声認識する。音声認識の是非をユーザに確認して成功すれば電話をかけ、再度失敗すれば「ボタンでダイヤルしてください」とユーザに促すようにしてもよい。
【実施例５】
【００１７】
本発明の他の実施例をのべる。ここでは、電話機が２つの子機を具備しており、子機で登録した発声情報が親機に登録される。図８に示すように子機１で登録した発声情報が「ユーザ１」に、子機２で登録した発声情報が「ユーザ２」に割り当てられる。子機１を「ユーザ１」が使用し、子機２を「ユーザ２」が使用している場合には、子機１では「おやじ」「おやじ＋の＋かいしゃ」が音声認識文法となり、子機２では「おじいちゃん」「おじいちゃん＋の＋かいしゃ」が音声認識文法となる。子機で登録した発声情報を親機で認識したいときは親機のユーザ識別ボタン２１（Ｕ１：ユーザ１、Ｕ２：ユーザ２：Ｕ３：デフォルト）でユーザを識別する。
【図面の簡単な説明】
【００１８】
【図１】電話機の構成図である。
【図２】データベース１の内容の一例図である。
【図３】発声情報登録手段２と発声ユーザ登録手段３のＧＵＩ画面を示す図である。
【図４】ユーザ識別手段４のＧＵＩ画面を示す図である。
【図５】電話機の動作の流れ図である。
【図６】電話機の外観図である。
【図７】発声ユーザを登録する画面である。
【図８】子機を使用するユーザを登録する画面である。
【図１】
2007163966.tif 000003
【図２】
2007163966.tif 000004
【図３】
2007163966.tif 000005
【図４】
2007163966.tif 000006
【図５】
2007163966.tif 000007
【図６】
2007163966.tif 000008
【図７】
2007163966.tif 000009
【図８】
2007163966.tif 000010